(57)【要約】【課題】  腰かけた場合に意図的に重心が不安定な状態となる椅子に関して、不使用時には椅子が補助脚を使って自動的に自立し、その取扱いが便利な自立型使用時不安定化椅子を提供する。【解決手段】  本発明は、使用時に不安定な椅子を不使用時に自立させるため、使用者の椅子からの抜重に伴う付勢手段と駆動力伝達手段の作用を利用して主脚以外の補助脚（１４ａ，１４ｂ）を新たな床や地面との接点とすることを最も主要な特徴とする。【選択図】図２
2017225795.tif 000002
【特許請求の範囲】
【請求項１】
座面と、
座面の下部に前記座面とほぼ垂直に取り付けられてなる、１本または２本の主脚と、
前記主脚の周囲に設けられた回動軸を介して取り付けられ、前記回動軸への取付部とは反対側の先端が、前記主脚を含む面内で回動可能な、少なくとも２本の補助脚と有する椅子であって、
前記補助脚は、使用者の体重が負荷されていない状態では、前記主脚に取り付けられてなる付勢手段と駆動力伝達手段の作用により、前記先端が、前記椅子が載置されている面に接した状態であり、使用者の体重が付加されている状態では、前記先端が、前記椅子が載置されている面から離れた状態であることを特徴とする椅子。
【請求項２】
前記主脚の長さが調整可能であることを特徴とする、請求項１に記載の椅子。
【請求項３】
前記主脚における座面への取り付け部とは反対側の端部に滑り止めが設けられてなることを特徴とする、請求項１または請求項２に記載の椅子。
【請求項４】
前記補助脚における前記先端は、キャスターが取り付けられてなることを特徴とする、請求項１ないし請求項３のいずれかに記載の椅子。
【発明の詳細な説明】
【技術分野】
【０００１】  本発明は、椅子に関するもので、特に、使用状態、つまり腰かけた場合に意図的に重心が不安定な状態となり、不使用時には椅子が補助脚を使って自動的に自立し、その取扱いが便利な、自立型使用時不安定化椅子に関するものである。
【背景技術】
【０００２】  通常、椅子は金属、高分子材料、木材又はこれらを組み合わせた部品から構成され、腰かけた者の人体を支え、特に下肢を中心に筋肉使用の負担を軽減する目的で製造され使用される。具体的には、腰かけた者の体重を臀部、背中部分や腕と椅子の座面、背もたれやひじ掛けを介して椅子が支え、重心とともに姿勢を安定化させるためである。【０００３】またこれらの座面、背もたれやひじ掛けは椅子の脚部によって支えられ、脚部の先端は最低でも３点で床や地面に接することで椅子の自立を保持している。【０００４】一方、椅子の座面が腰かける者の臀部を支えるものの、重心を不安定化させ、主に両下肢を使って転倒しないようバランスを取らせることにより下肢を中心に筋肉運動を誘導して脳への刺激を増加させ、健康増進や脳の活性化を目的をとした使用時に不安定な椅子がある。このような例として、特許文献１には、座面の下側に取り付ける脚を、１本だけにした、自立できない椅子が開示されている。【０００５】  このような使用時に不安定な椅子の特徴は、通常の椅子においては、脚と床面または地面との接点が最低でも３点以上で、腰かけた者の体重を安定的に支えるのに対し、使用時に不安定な椅子、つまり、前記の脚が１本のみの椅子や、脚が２本の椅子においては、脚部の床面又は地面の接点が最大２点で、不足する残りの接点を、腰かけた者の下肢で支えなければならず、その結果、使用時に不安定な椅子に腰かけた者は下肢の両方又はいずれか一方を使って床面又は地面と接し、転倒しないようにバランスを取る必要があることである。【０００６】  従って、これらの使用時に不安定な椅子は、バランスを補う補助脚がないと不使用時には自立できないので、不使用時には床面又は地面に横たえるか、何かに立て掛け又は吊るす必要があり、それぞれ横たえ、立てかけ又は吊るす場所や器具の準備及び取り扱う操作の手間を必要とする。【０００７】  なお、球体風船のバランスボールが椅子として使用され、使用時の不安定な状況を解消するために両下肢でバランスを取る例があるが、バランスボールは不使用時にも直径を幅とする一定の場所を占めると同時に安定性を欠き、横からの力で容易に転がり、取り扱いが容易でないことを参考までに述べる。【０００８】
【先行技術文献】
【特許文献】
【０００９】
【特許文献１】  特開２００９−１２５５６９
【発明の開示】
【発明が解決しようとする課題】
【００１０】  本発明によって、解決しようとする課題は、使用時に床や地面と脚部との接点が２以下の不安定な椅子を、不使用時に自動的に補助脚を設定させて自立させることにより、その取扱いを容易にすることである。
【課題を解決するための手段】
【００１１】  本発明は、使用時に不安定な椅子を不使用時に自立させるため、座面に使用者の体重が負荷されていない状態では、コイルばねのような付勢手段と、付勢手段の駆動力を伝達する手段を利用して、主脚以外の補助脚を、新たな床や地面との接点として設置することにより椅子を自立させることを最も主要な特徴とする。
【発明の効果】
【００１２】  使用時に床や地面と脚部との接点が２以下となる椅子は、不足するもう一つの接点を補う補助脚や突起部がないと不使用時には自立できないので、床面又は地面に横たえるか、何かに立て掛けるか又は何かに吊るした状態にする必要があり、横たえ、立てかけ又は吊るす場所やそのための器具を必要とすることとを操作することを本発明により解消できるという利点がある。
【図面の簡単な説明】
【００１３】
【図１】  本発明に係る椅子の一例を示す斜視図で、図１（ａ）は主脚が１本、図１（ｂ）は主脚が２本の例。
【図２】  本発明に係る主脚が１本で、補助脚を備えてなる椅子の一例を示す図で、図２（ａ）は非使用状態、図２（ｂ）は使用状態。
【図３】  本発明に係る椅子の付勢手段と駆動力伝達手段の構成の一例を示す断面図、図３（ａ）は非使用状態、図３（ｂ）は使用状態。
【発明を実施するための形態】
【００１４】  以下、図面を参照しつつ、本発明に係る椅子の実施の形態について説明を加える。なお、図面の理解を容易にするため、各部の大きさや寸法を誇張して表現している部分があり、実際の製品と必ずしも一致しない部分があることを付記しておく。
【００１５】  図１は、本発明に係る椅子の一例を示す斜視図で、図１（ａ）は主脚が１本、図１（ｂ）は主脚が２本の例である。図１において、１０、２０は椅子、１１、２１は座面、１２、２２ａ、２２ｂは主脚である。ここでは、自立した状態で示したが、重力に対して安定性を欠き、倒れ易く、主脚の載置面との接点、つまり、床または地面との接点が２以下であることが特徴である。
【００１６】  図２は、本発明に係る主脚が１本で、補助脚を備えてなる椅子の一例を示す図で、図２（ａ）は非使用状態、図２（ｂ）は使用状態である。図２において、１３は補助脚取付部、１４ａ、１４ｂは補助脚、１５は滑り止めである。ここでは、補助脚を２本だけ示しているが、図の紙面の裏側に、もう１本の補助脚が設けられている。つまり、３本の補助脚が、主脚の周囲に、１２０°の角度で均等に配されている。ここに示したように、本発明の椅子においては、非使用状態では補助脚の先端が載置面に接し、使用状態では、補助脚の先端と載置面との間が離れた状態となる。
【００１７】  自立のために主脚も用いる場合は、補助脚が２本で済むことは、勿論である。また、滑り止め１５は、主脚の先端と載置面との間が滑り易いと、使用者が平衡を保つのが困難となるので、取り付けることが望ましく、材質は、可撓性と摩擦係数の大きいゴムなどが望ましい。
【００１８】  図３は、本発明に係る椅子の付勢手段と駆動力伝達手段の構成の一例を示す断面図で、図３（ａ）は非使用状態、図３（ｂ）は使用状態である。図３において、１６は付勢手段の圧縮コイルばね、１７は回動軸、１８ａは駆動力伝達手段として、補助脚側に設けられたギヤ、１８ｂは主脚側に設けられたギヤである。
【００１９】  図３に示したように、本発明に係る椅子においては、座面に使用者の体重が負荷されていない状態では、コイルばね１６が、ほぼ伸びきった状態となり、ギヤの噛み合わせにより、補助脚１４ａの先端が図における下の方に配され、座面に使用者の体重が負荷された状態では、主脚１２が、コイルばね１６の付勢力に抗する方向に動き、補助脚１４ａの先端が図における上の方向に配される。これによって、椅子は１本の主脚のみで、使用者の体重を支えることになる。
【００２０】  以上に説明したように、本発明によれば、主脚が、１本または２本でありながら、非使用状態では、自立できる椅子を提供できる。なお、特に例を示していないが、本発明に係る椅子においては、長さの調整機構を、主脚に付与することが可能で、補助脚の先端にキャスターを取り付けることも可能である。
【００２１】  また、前記の例においては、付勢手段に圧縮コイルばねを用いているが、付勢手段の配置によっては、引っ張りコイルばねを使用することが可能で、タケノコばねを用いることもできる。つまり、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれる。
【符号の説明】
【００２２】１０，２０・・・椅子
１１，２１・・・座面
１２，２２ａ，２２ｂ・・・主脚
１３・・・補助脚取り付け部
１４ａ，１４ｂ・・・補助脚
１５・・・滑り止め
１６・・・圧縮コイルばね
１７・・・回動軸
１８ａ，１８ｂ・・・ギヤ
【図１】
2017225795.tif 000003
【図２】
2017225795.tif 000004
【図３】
2017225795.tif 000005